(57)【要約】【課題】水が流れやすく、メンテナンスが容易で、既存の洗い場にカビなどが発生しにくい排水溝ユニットおよび浴室床上げ構造を提供する。【解決手段】１対の側壁板２１が、長方形平板状で、耐水性で切断可能な樹脂から成り、互いに平行に対向し、立てた状態で互いに上縁より低い位置に内側面に突出する支持部２１ａを有する。接続部材２２が、各側壁板２１の間で各側壁板２１を接続している。排水蓋２３が、耐水性で切断可能な樹脂から成り、厚さ方向に貫通する通水孔２３ａを有し、各支持部２１ａで支持されて各側壁板２１の上部間隙を着脱可能に覆う。仕切材２４が、支持部２１ａと係合する突出部を有し、各側壁板２１の両端部の間隙を塞ぐ。底板２５が、各側壁板２１の底部の間隙を塞ぐ。【選択図】図１
0003177450.tif 000002
【実用新案登録請求の範囲】
【請求項１】
耐水性で切断可能な材質から成り、互いに平行に対向し、立てた状態で互いに上縁より低い位置に内側面に突出する支持部を有する長方形平板状の１対の側壁板と、
各側壁板の間で各側壁板を接続する接続部材と、
耐水性で切断可能な材質から成り、厚さ方向に貫通する通水孔を有し、各支持部で支持されて各側壁板の上部間隙を着脱可能に覆う排水蓋とを、
有することを特徴とする排水溝ユニット。
【請求項２】
前記支持部は各側壁板の内側面に前記上縁と平行に連続して突出しており、
前記支持部と係合する突出部を有し、各側壁板の両端部の間隙を塞ぐ仕切材と、
各側壁板の底部の間隙を塞ぐ底板とを、
有することを特徴とする請求項１記載の排水溝ユニット。
【請求項３】
浴室の排水口より高く、前記排水口に排水可能に立設された排水枡と、
前記排水枡への水路を形成するよう前記浴室の洗い場の上に配設された請求項１または２記載の排水溝ユニットと、
前記洗い場の上の、前記排水溝ユニットを除く部分に配置された複数の断熱ブロックと、
各断熱ブロックの隙間および各断熱ブロックと前記排水溝ユニットとの隙間を埋める耐水性モルタルと、
各断熱ブロックおよび前記モルタルの上に貼り付けられた耐水性の下地板と、
前記下地板の上に設けられた床板材とを有し、
前記床板材と前記排水溝ユニットとが隣接する位置で、前記床板材の表面と前記排水溝ユニットの上面とが連続するよう構成されていることを、
特徴とする浴室床上げ構造。
【考案の詳細な説明】
【技術分野】
【０００１】
本考案は、排水溝ユニットおよび、その排水溝ユニットを使用した浴室床上げ構造に関する。
【背景技術】
【０００２】
従来、既設のユニットバスなどの浴室をバリアフリーにするために、浴室の洗い場を床上げすることが行われている。その際、ユニットバスでは、既存の洗い場の強度が低いため、洗い場の上に新たに設ける構造をできるだけ軽くする必要がある。このことを考慮した浴室の床上げ構造として、浴室の洗い場の上にボルトなどから成る脚部を設け、その上に根太を架け渡し、その根太の上に床パネルを敷き詰めるものがある（例えば、特許文献１または２参照）。
【先行技術文献】
【特許文献】
【０００３】
【特許文献１】特開２００３−１６０９５８号公報
【特許文献２】特開２００３−１２９６４３号公報
【考案の概要】
【考案が解決しようとする課題】
【０００４】
特許文献１および特許文献２に記載の床上げ構造では、あらかじめ新しい床パネルの所定の位置に排水溝が設けられている。このため、特許文献１に記載の床上げ構造では、新しい排水溝から既存の排水口までホース等を接続しており、排水溝の位置によってはホース等が長くなって水が流れにくくなることがあるという課題があった。また、ホース等で水が詰まったときにメンテナンスが困難であるという課題もあった。特許文献２に記載の床上げ構造では、新しい排水溝から既存の洗い場にそのまま排水を流しており、新しい床パネルと既存の洗い場との間の空間に湿気が溜まって、カビなどが発生しやすくなるという課題があった。
【０００５】
本考案は、このような課題に着目してなされたもので、水が流れやすく、メンテナンスが容易で、既存の洗い場にカビなどが発生しにくい排水溝ユニットおよび浴室床上げ構造を提供することを目的とする。
【課題を解決するための手段】
【０００６】
上記目的を達成するために、本考案に係る排水溝ユニットは、耐水性で切断可能な材質から成り、互いに平行に対向し、立てた状態で互いに上縁より低い位置に内側面に突出する支持部を有する長方形平板状の１対の側壁板と、各側壁板の間で各側壁板を接続する接続部材と、耐水性で切断可能な材質から成り、厚さ方向に貫通する通水孔を有し、各支持部で支持されて各側壁板の上部間隙を着脱可能に覆う排水蓋とを、有することを特徴とする。
【０００７】
本考案に係る排水溝ユニットは、既設のユニットバスなどの浴室をバリアフリーにするために、浴室の洗い場を床上げするときに好適に使用される。本考案に係る排水溝ユニットは、各側壁板および排水蓋が耐水性で切断可能な材質から成るため、それぞれを所望の長さに切断して使用することができる。このような材質としては、樹脂が適している。また、各側壁板の所望の位置に、通水のための穴を開けることもできる。これにより、洗い場の任意の位置に設置して排水溝を構成することができ、排水溝のレイアウトの自由度を高めることができる。また、既存の排水口に排水を流すように設置して、水が流れやすくすることができる。
【０００８】
本考案に係る排水溝ユニットによれば、既存の洗い場に排水を流さないよう床上げすることができるため、既存の洗い場にカビなどが発生しにくい。また、排水蓋を取り外すことにより、容易にメンテナンスを行うことができる。本考案に係る排水溝ユニットで、接続部材は、複数から成り、各側壁板の長さ方向に間隔をあけて並ぶよう設けられていることが好ましい。この場合、各側壁板を切断する際には、接続部材の位置を外すか、接続部材を残して、切断するようにする。
【０００９】
本考案に係る排水溝ユニットでは、前記支持部は各側壁板の内側面に前記上縁と平行に連続して突出しており、前記支持部と係合する突出部を有し、各側壁板の両端部の間隙を塞ぐ仕切材と、各側壁板の底部の間隙を塞ぐ底板とを、有することが好ましい。この場合、仕切材を取り付けることにより、排水溝として設置したときに各側壁板の端部から排水が漏れるのを防ぐことができる。また、底板を取り付けることにより、既存の洗い場に凹凸があっても、各側壁板の下部から排水が漏れるのを防ぐことができる。このため、既存の洗い場に排水が漏れず、カビなどがより発生しにくい。
【００１０】
本考案に係る浴室床上げ構造は、浴室の排水口より高く、前記排水口に排水可能に立設された排水枡と、前記排水枡への水路を形成するよう前記浴室の洗い場の上に配設された本考案に係る排水溝ユニットと、前記洗い場の上の、前記排水溝ユニットを除く部分に配置された複数の断熱ブロックと、各断熱ブロックの隙間および各断熱ブロックと前記排水溝ユニットとの隙間を埋める耐水性モルタルと、各断熱ブロックおよび前記モルタルの上に貼り付けられた耐水性の下地板と、前記下地板の上に設けられた床板材とを有し、前記床板材と前記排水溝ユニットとが隣接する位置で、前記床板材の表面と前記排水溝ユニットの上面とが連続するよう構成されていることを、特徴とする。
【００１１】
本考案に係る浴室床上げ構造は、既存の洗い場の上に配置された各断熱ブロックの隙間および各断熱ブロックと排水溝ユニットとの隙間を埋めるよう耐水性モルタルが設けられているため、下地板および床板材の下に空洞を生じない。このため、床板材の上に人が載って荷重が加わっても、破損しにくく強度が高い。また、各断熱ブロックとして、発泡体などの軽量なものを使用することにより、既存の洗い場の強度が低くても耐えられるよう施工可能である。
【００１２】
床板材の下に配置された複数の断熱ブロックの断熱効果により、冬場でも床が冷えにくく、浴室の断熱効率が良い。排水溝ユニットを使用するとともに、既存の洗い場が各断熱ブロックおよび耐水性モルタルで覆われ、さらに耐水性の下地板と、床板材とで覆われているため、元の洗い場に浴室の排水が入り込みにくく、防水性が高い。また、これにより、浴室内の悪臭や腐食を防止することができるとともに、既存の洗い場にカビなどが発生するのを防ぐことができる。床板材の高さを、浴室の入口の高さに揃えることにより、ユニットバスなどの既設の浴室を容易かつ安価にバリアフリー仕様とすることができる。なお、耐水性の下地板は、各断熱ブロックおよびモルタルの上に耐水性の接着剤により貼り付けられていることが好ましい。
【００１３】
本考案に係る浴室床上げ構造は、本考案に係る排水溝ユニットを使用するため、排水口に水が流れやすく、排水溝のメンテナンスが容易である。本考案に係る浴室床上げ構造で、下地板および床板材は、１枚から成っていても、複数枚から成って敷き詰められていてもよい。下地板は、複数枚からなる場合、防水性を高めるために、互いの隙間が耐水性の接着剤などで塞がれていることが好ましい。また、下地板は、複数枚からなる場合、より強度を高めるため、それぞれの境界が耐水性モルタルの上に配置されていることが好ましい。
【考案の効果】
【００１４】
本考案によれば、水が流れやすく、メンテナンスが容易で、既存の洗い場にカビなどが発生しにくい排水溝ユニットおよび浴室床上げ構造を提供することができる。
【図面の簡単な説明】
【００１５】
【図１】本考案の実施の形態の排水溝ユニットを示す斜視図である。
【図２】本考案の実施の形態の浴室床上げ構造の洗い場を示す平面図である。
【図３】図２に示す浴室床上げ構造の洗い場の一部拡大断面図である。
【考案を実施するための形態】
【００１６】
以下、図面に基づき本考案の実施の形態について説明する。
図１乃至図３は、本考案の実施の形態の排水溝ユニットおよび浴室床上げ構造を示している。
図１乃至図３に示すように、本考案の実施の形態の浴室床上げ構造は、排水枡１１と排水溝ユニット１２と断熱ブロック１３と耐水性モルタル１４と下地板１５と床板材１６とを有している。
【００１７】
図２に示すように、排水枡１１は、既存の浴室の排水口より高く、所定の高さに立設されている。排水枡１１は、既存の浴室の排水口に水を排水可能になっている。なお、既存の浴室は、例えば一般的なユニットバスなどである。
【００１８】
図１および図３に示すように、排水溝ユニット１２は、耐水性で切断可能な樹脂製で、１対の側壁板２１と複数の接続部材２２と排水蓋２３と仕切材２４と底板２５とを有している。図１に示すように、各側壁板２１は、細長い長方形平板状で、互いに平行に対向し、横方向に伸びるよう配置されている。各側壁板２１は、立てた状態で互いに上縁より低い位置に、上縁と平行に連続して内側面に突出する支持部２１ａを有している。各側壁板２１は、所望の長さや高さに切断したり、所望の位置に穴２１ｂを開けたりすることができる。
【００１９】
各接続部材２２は、長方形平板状で、各側壁板２１を一定の間隔に維持するよう、各側壁板２１の間で各側壁板２１を接続している。各接続部材２２は、各側壁板２１の長さ方向に間隔をあけて並べて取り付けられている。各接続部材２２は、上縁が各側壁板２１の支持部２１ａと同じ高さになり、下縁が各側壁板２１の中間高さ付近になるよう取り付けられている。これにより、排水溝ユニット１２は、各接続部材２２の位置で、各側壁板２１の間の各接続部材２２の下方を通って水が流れるようになっている。
【００２０】
排水蓋２３は、細長い長方形平板状を成し、長さ方向に沿って所定の間隔で、厚さ方向に貫通する複数の通水孔２３ａを有している。排水蓋２３は、各側壁板２１の支持部２１ａの間隔と同じ幅、支持部２１ａの高さと同じ厚みを有している。排水蓋２３は、各側壁板２１の支持部２１ａで支持されて、各側壁板２１の上部間隙を着脱可能に覆っている。排水蓋２３は、所望の長さに切断可能になっている。
【００２１】
仕切材２４は、ほぼ長方形平板状を成し、各側壁板２１の間隔と同じ幅、各側壁板２１の高さと同じ高さを有している。仕切材２４は、支持部２１ａの高さと同じ高さで、支持部２１ａの幅と同じだけ横方向に突出して支持部２１ａと係合する１対の突出部２４ａを上部に有している。仕切材２４は、各突出部２４ａを支持部２１ａと係合させて各側壁板２１の間に挟まれて、各側壁板２１の両端部の間隙を塞ぐようになっている。
【００２２】
底板２５は、薄くて細長い長方形平板から成っている。底板２５は、各側壁板２１の間隔より大きい幅を有し、各側壁板２１の底部に配置されて、各側壁板２１の底部の間隙を塞ぐよう設けられている。底板２５は、所望の長さに切断可能になっている。
【００２３】
図２および図３に示すように、排水溝ユニット１２は、排水枡１１に水が流れるよう、浴室の洗い場１の上に配設されている。排水溝ユニット１２は、各部材を切断したり、各側壁板２１に穴を開けたりすることにより、任意の位置に排水溝を設置可能になっている。
【００２４】
図３に示すように、断熱ブロック１３は、複数から成り、それぞれ発泡体から成る直方体形状の市販の押出法ポリスチレンフォームから成っている。各断熱ブロック１３は、排水溝ユニット１２が配設されていない浴室の洗い場１の上に、互いに隙間をあけて並べて配置されている。
【００２５】
耐水性モルタル１４は、耐水性で水により固化し、乾燥が速い、市販のセラミック質の樹脂モルタルから成っている。耐水性モルタル１４は、各断熱ブロック１３の隙間、各断熱ブロック１３と排水溝ユニット１２との隙間、および各断熱ブロック１３と浴室の壁面との隙間を埋めるよう設けられている。
【００２６】
下地板１５は、軽量で強度が高い、複数の繊維強化プラスチックの平板から成っている。各下地板１５は、各断熱ブロック１３および耐水性モルタル１４の上に、耐水性の接着剤により貼り付けられ、敷き詰められている。各下地板１５は、それぞれの境界が耐水性モルタル１４の上に配置されており、互いの隙間が耐水性の樹脂製接着剤で塞がれている。
【００２７】
図２および図３に示すように、床板材１６は、複数の市販のゴム製の化粧板から成っている。各床板材１６は、下地板１５の上に、耐水性の接着剤により貼り付けられ、敷き詰められている。各床板材１６は、排水溝ユニット１２や浴室の壁面との隙間が耐水性の接着剤で塞がれている。
【００２８】
本考案の実施の形態の浴室床上げ構造は、床板材１６と排水溝ユニット１２とが隣接する位置で、床板材１６の表面と排水溝ユニット１２の上面とが連続して、高さがほぼ同一になるよう構成されている。また、床板材１６の表面の水が、排水溝ユニット１２や排水枡１１に向かって流れるよう構成されている。
【００２９】
次に、作用について説明する。
本考案の実施の形態の浴室床上げ構造は、既設のユニットバスなどの浴室をバリアフリーにするために、浴室の洗い場を床上げするときに好適に使用される。本考案の実施の形態の浴室床上げ構造は、排水溝ユニット１２を切断して所望の長さや高さにしたり、各側壁板２１の所望の位置に、通水のための穴２１ｂを開けたりすることができる。このため、洗い場の任意の位置に排水溝ユニット１２を設置して排水溝を構成することができ、排水溝のレイアウトの自由度を高めることができる。また、既存の排水口に排水を流すように設置することができ、水が流れやすくすることができる。
【００３０】
本考案の実施の形態の浴室床上げ構造は、排水溝ユニット１２の各側壁板２１の端部に仕切材２４を取り付けることにより、各側壁板２１の端部から排水が漏れるのを防ぐことができる。また、底板２５で各側壁板２１の下部を塞ぐことにより、既存の洗い場１に凹凸があっても、各側壁板２１の下部から排水が漏れるのを防ぐことができる。また、排水溝ユニット１２を使用するとともに、既存の洗い場１が各断熱ブロック１３および耐水性モルタル１４で覆われ、さらに耐水性の接着剤により貼り付けられた耐水性の下地板１５と、床板材１６とで覆われている。このため、元の洗い場１に浴室の排水が入り込みにくく、防水性が高い。また、これにより、浴室内の悪臭や腐食を防止することができるとともに、既存の洗い場にカビなどが発生するのを防ぐことができる。
【００３１】
本考案の実施の形態の浴室床上げ構造は、排水蓋２３を取り外すことにより、排水溝ユニット１２の内部のメンテナンスが容易である。排水溝ユニット１２の各接続部材２２は、各側壁板２１の長さ方向に間隔をあけて並ぶよう設けられているため、各側壁板２１を切断する際には、接続部材２２の位置を外すか、接続部材２２を残して、切断するようにする。
【００３２】
本考案の実施の形態の浴室床上げ構造は、既存の洗い場１の上に配置された各断熱ブロック１３の隙間、各断熱ブロック１３と排水溝ユニット１２との隙間、および各断熱ブロック１３と浴室の壁面との隙間を埋めるよう耐水性モルタル１４が設けられているため、下地板１５および床板材１６の下に空洞を生じない。このため、床板材１６の上に人が載って荷重が加わっても、破損しにくく強度が高い。また、各断熱ブロック１３として、発泡体などの軽量なものを使用することにより、既存の洗い場１の強度が低くても耐えられるよう施工可能である。
【００３３】
本考案の実施の形態の浴室床上げ構造は、床板材１６の下に配置された複数の断熱ブロック１３の断熱効果により、冬場でも床が冷えにくく、浴室の断熱効率が良い。床板材１６の高さを、浴室の入口の高さに揃えることにより、ユニットバスなどの既設の浴室を容易かつ安価にバリアフリー仕様とすることができる。
【符号の説明】
【００３４】
１  洗い場
１１  排水枡
１２  排水溝ユニット
２１  側壁板
２１ａ  支持部
２２  接続部材
２３  排水蓋
２３ａ  通水孔
２４  仕切材
２４ａ  突出部
２５  底板
１３  断熱ブロック
１４  耐水性モルタル
１５  下地板
１６  床板材
【図１】
0003177450.tif 000003
【図２】
0003177450.tif 000004
【図３】
0003177450.tif 000005